【手続補正書】
【提出日】令和2年7月21日(2020.7.21)
【手続補正１】
【補正対象書類名】特許請求の範囲
【補正対象項目名】全文
【補正方法】変更
【補正の内容】
【特許請求の範囲】
【請求項１】
プロセス制御システム内の産業用演算装置間のプラットフォーム相互通信方法であって、
要求元産業用演算装置プラットフォームからの記載要求に応答して、プロセス制御メッセージサービス内に前記要求元産業用演算装置プラットフォームを記載することであって、前記要求元産業用演算装置プラットフォーム及び前記プロセス制御メッセージサービスの各々が前記プロセス制御メッセージサービスの通信プロトコルの上位の層を形成する宛先産業用演算装置プラットフォームの通信プロトコルのフレームワークを有し、前記プロセス制御メッセージサービスのプロトコルがネットワーク通信プロトコルの上位の層を形成することと、
ネットワーキング通信プロトコルに関連付けられた通信トランスポートタイプを介して前記要求元産業用演算装置プラットフォームからラップされたメッセージを受信することであって、前記メッセージが、前記宛先産業用演算装置プラットフォームの通信プロトコル内で前記要求元産業用演算装置プラットフォームによって生成され、宛先産業用演算装置プラットフォームの識別と前記宛先産業用演算装置プラットフォームの通信プロトコルとを備えたヘッダを有する前記プロセス制御メッセージサービスの通信プロトコル内にラップされたことと、
前記ラップされたメッセージを前記宛先産業用演算装置プラットフォームの通信プロトコル内に解読することと、
前記解読済みのラップされたメッセージを前記宛先産業用演算装置プラットフォームへ転送することと、を備える、
プラットフォーム相互通信方法。
【請求項２】
産業用演算装置プラットフォームの記載は、
プロセス制御メッセージネットワーク上のエンロールメントサーバで前記要求元産業用演算装置プラットフォームからの前記記載要求を受信することであって、前記記載要求が前記要求元産業用演算装置プラットフォームの識別と前記エンロールメントサーバの識別とを備え、前記プロセス制御メッセージネットワークが前記プロセス制御システム内でフィールドデバイスを制御するデジタルプロセス制御ネットワークから論理的に独立していることと、
前記要求元産業用演算装置プラットフォームの前記プロセス制御メッセージサービスへ
の登録を検証することと、
前記要求元産業用演算装置プラットフォームが以前に前記プロセス制御メッセージサービスに登録されていた場合、前記要求元産業用演算装置プラットフォームの前記プロセス制御メッセージサービスへの参加を許可することと、
前記要求元産業用演算装置の申し込みステータスに基づいて前記産業用演算装置プラットフォームが記載されていることを前記プロセス制御メッセージサービス内に記載された他の産業用演算装置プラットフォームに通知することであって、前記申し込みステータスが前記要求元産業用演算装置との通信を許可された前記産業用演算装置プラットフォームを識別することと、を備える、
請求項１に記載の方法。
【請求項３】
前記要求元産業用演算装置プラットフォームの登録が前記プロセス制御メッセージサービスへの一時的なアクセスを備える、
請求項２に記載の方法。
【請求項４】
前記要求元産業用演算装置プラットフォームの登録が前記プロセス制御メッセージサービスへの永続的なアクセスを備える、
請求項２に記載の方法。
【請求項５】
前記要求元産業用演算装置プラットフォームの登録が前記プロセス制御メッセージサービスによって提供される特定のサービスへのアクセスを備える、
請求項２に記載の方法。
【請求項６】
前記産業用演算装置プラットフォームの記載が、前記産業用演算装置プラットフォームが前記プロセス制御メッセージネットワークに接続されると前記産業用演算装置プラットフォームを記載することを備える、
請求項２に記載の方法。
【請求項７】
前記産業用演算装置プラットフォームを記載することが、前記要求元産業用演算装置プラットフォームに固定配線で接続されたパーソナルコンピューティングプラットフォームからの記載要求のルーティングを受信すると前記産業用演算装置プラットフォームを記載することを含み、前記要求元産業用演算装置プラットフォームが前記パーソナルコンピューティングプラットフォームに固定配線で接続されると、前記パーソナルコンピューティングプラットフォームが前記要求元産業用演算装置プラットフォームからの前記記載要求を転送する、
請求項２に記載の方法。
【請求項８】
前記要求元産業用演算装置プラットフォームから前記宛先産業用演算装置プラットフォームへの１つまたは複数のデータファイルの転送要求を受信することと、
前記要求元産業用演算装置プラットフォームから前記宛先産業用演算装置プラットフォームへの１つまたは複数のデータファイルの転送を起動することと、をさらに備える、
請求項２に記載の方法。
【請求項９】
前記宛先産業用演算装置プラットフォームから、前記要求元産業用演算装置プラットフォームへの１つまたは複数のデータファイルの転送要求を受信することと、
前記宛先産業用演算装置プラットフォームから前記要求元産業用演算装置プラットフォームへの１つまたは複数のデータファイルの転送を起動することと、をさらに備える、
請求項２に記載の方法。
【請求項１０】
前記要求元産業用演算装置プラットフォームから、別の産業用演算装置プラットフォー
ムとのリアルタイムのピアツーピアメッセージ要求を受信することと、
前記要求元産業用演算装置プラットフォームに前記プロセス制御メッセージサービスに記載された他の産業用演算装置プラットフォームのリストを提供することと、
前記要求元産業用演算装置プラットフォームから１つまたは複数の他の産業用演算装置プラットフォームへのリアルタイムメッセージの送信を起動することと、をさらに備える、
請求項２に記載の方法。
【請求項１１】
前記宛先産業用演算装置プラットフォームが１つまたは複数の産業用演算装置プラットフォームを備え、前記ラップされたメッセージを前記宛先産業用演算装置プラットフォームへ解読することが前記ラップされたメッセージを前記１つまたは複数の宛先産業用演算装置プラットフォームの各々の通信プロトコル内へ解読することを備え、前記解読済みのラップされたメッセージを転送することが前記解読済みのラップされたメッセージを１つまたは複数の産業用演算装置プラットフォームの各々へ転送することを備える、
請求項１に記載の方法。
【請求項１２】
プロセス制御システム内の産業用演算装置間のプラットフォーム相互通信システムであって、
要求元産業用演算装置プラットフォームからの記載要求に応答して、プロセス制御メッセージサービス内に要求元産業用演算装置プラットフォームを記載するように構成されたエンロールメントサーバであって、前記要求元産業用演算装置プラットフォーム及び前記プロセス制御メッセージサービスの各々が前記プロセス制御メッセージサービスの通信プロトコルの上位の層を形成する宛先産業用演算装置プラットフォームの通信プロトコルのフレームワークを有し、前記プロセス制御メッセージサービスのプロトコルがネットワーク通信プロトコルの上位の層を形成するエンロールメントサーバと、
プロセス制御メッセージシステムアーキテクチャであって、
ネットワーキング通信プロトコルに関連付けられた通信トランスポートタイプを介して前記要求元産業用演算装置プラットフォームからラップされたメッセージを受信するように構成され、前記メッセージが、前記宛先産業用演算装置プラットフォームの通信プロトコル内で前記要求元産業用演算装置プラットフォームによって生成され、宛先産業用演算装置プラットフォームの識別と前記宛先産業用演算装置プラットフォームの通信プロトコルとを備えたヘッダを有する前記プロセス制御メッセージサービスの通信プロトコル内にラップされ、
前記ラップされたメッセージを前記宛先産業用演算装置プラットフォームの通信プロトコル内に解読するように構成され、
前記解読済みのラップされたメッセージを前記宛先産業用演算装置プラットフォームへ転送するように構成されたプロセス制御メッセージシステムアーキテクチャと、を備える、
システム。
【請求項１３】
前記プロセス制御メッセージシステムアーキテクチャがさらに、
プロセス制御メッセージネットワーク上のエンロールメントサーバで前記要求元産業用演算装置プラットフォームからの前記記載要求を受信するように構成され、前記記載要求が前記要求元産業用演算装置プラットフォームの識別と前記エンロールメントサーバの識別とを備え、前記プロセス制御メッセージネットワークが前記プロセス制御システム内でフィールドデバイスを制御するデジタルプロセス制御ネットワークから論理的に独立し、
前記要求元産業用演算装置プラットフォームの前記プロセス制御メッセージサービスへの登録を検証するように構成され、
前記要求元産業用演算装置プラットフォームが以前に前記プロセス制御メッセージサービスに登録されていた場合、要求元産業用演算装置プラットフォームの前記プロセス制御
メッセージサービスへの参加を許可するように構成され、
前記要求元産業用演算装置の申し込みステータスに基づいて前記産業用演算装置プラットフォームが記載されていることを前記プロセス制御メッセージサービス内に記載された他の産業用演算装置プラットフォームに通知するように構成され、前記申し込みステータスが前記要求元産業用演算装置との通信を許可された前記産業用演算装置プラットフォームを識別する、
請求項１２に記載のシステム。
【請求項１４】
前記宛先産業用演算装置プラットフォームが１つまたは複数の産業用演算装置プラットフォームを備え、前記プロセス制御メッセージシステムアーキテクチャがさらに、
前記ラップされたメッセージを前記１つまたは複数の宛先産業用演算装置プラットフォームの各々の通信プロトコル内へ解読し、
前記解読済みのラップされたメッセージを１つまたは複数の産業用演算装置プラットフォームの各々へ転送するように構成された、
請求項１２に記載のシステム。
【請求項１５】
各々が前記エンロールメントサーバ及び前記プロセス制御メッセージシステムアーキテクチャに通信可能に接続された１つまたは複数の産業用演算装置プラットフォームをさらに備え、各々の産業用演算装置プラットフォーが、
トピック及びアプリケーションを識別する解読済みのラップされたメッセージを受信し、
前記解読済みのラップされたメッセージ内で識別された前記アプリケーションへ前記解読済みのラップされたメッセージを処理のために転送し、
前記解読済みのラップされたメッセージ内で識別された前記トピックに基づいて、前記解読済みのラップされたメッセージを前記アプリケーションからプロセスへ転送するように構成された、
請求項１２に記載のシステム。
【請求項１６】
前記要求元産業用演算装置プラットフォームが第１のネットワーク上に常駐し、前記宛先産業用演算装置プラットフォームが前記第１のネットワークから離隔された第２のネットワーク上に常駐し、前記システムが前記プロセス制御メッセージシステムアーキテクチャ及び前記要求元産業用演算装置プラットフォームに通信可能に接続された中間の産業用演算装置プラットフォームをさらに備え、前記中間の産業用演算装置プラットフォームが、
前記第１及び第２のネットワークの間の離隔を維持するように構成され、
前記解読済みのラップされたメッセージを受信するように構成され、前記解読済みのラップされたメッセージが前記第２のネットワーク上の前記宛先産業用演算装置プラットフォームを識別し、
ポートが前記メッセージを前記解読済みのメッセージ内で識別された前記宛先産業用演算装置プラットフォームへ転送する、
請求項１２に記載のシステム。